(57)【要約】【課題】セードを外した状態でも光源部が露出せず、使用者が不用意に基板やＬＥＤに接触したり、静電気や湿気によりＬＥＤの性能が低下することを防止できる照明器具を提供する。【解決手段】ＬＥＤ４２を光源とする照明器具１１であって、器具本体２１と、複数のＬＥＤ４２を有し、器具本体２１に配置される光源部４１と、器具本体２１に装着されるセード５１と、器具本体２１とセード５１との間において、光源部４１を覆うように配置される透光性の保護部材６１と、を備える。【選択図】図２
2014035879.tif 000002
【特許請求の範囲】
【請求項１】
ＬＥＤを光源とする照明器具であって、
器具本体と、
複数のＬＥＤを有し、前記器具本体に配置される光源部と、
前記器具本体に装着されるセードと、
前記器具本体と前記セードとの間において、前記光源部を覆うように配置される、透光  性の保護部材と、
を備えることを特徴とする照明器具。
【請求項２】
請求項１に記載の照明器具であって、
前記器具本体は、アダプタを取り付けるための取付穴を備え、
前記保護部材は、前記取付穴に対応する位置に形成される開口部と、前記開口部の周囲に形成され、前記器具本体に当接する第１当接部と、外周側に形成され、前記器具本体に当接する第２当接部と、を備える、
ことを特徴とする照明器具。
【請求項３】
請求項２に記載の照明器具であって、
前記保護部材と前記器具本体とを固定するための固定部が外周側に配置され、
前記保護部材は、前記開口部から外周側に向けて形成される平坦部と、前記平坦部から外周側の前記第２当接部に向けて湾曲して形成される曲面部と、を備え、
前記保護部材は、前記器具本体に固定された状態において、前記第１当接部が前記器具本体に対して付勢された状態で当接している、
ことを特徴とする照明器具。
【請求項４】
請求項１から３のいずれか１項に記載の照明器具であって、
前記保護部材は、光拡散処理が施されている、
ことを特徴とする照明器具。
【発明の詳細な説明】
【技術分野】
【０００１】
本発明は、ＬＥＤを光源とする照明器具に関する。
【背景技術】
【０００２】
近年、照明器具の光源として、発光ダイオード（ＬＥＤ）を用いたものが開発されている。例えば、特許文献１には、基板上に複数のＬＥＤを配設した光源部を有する照明器具が開示されている。照明器具には、通常光源の保護や光のグレアを解消するためにセードが備えられている。特許文献１に開示されている照明器具においてもセード（保護板６）が備えられている。
【先行技術文献】
【特許文献】
【０００３】
【特許文献１】特開２０１０−２８２７６２号公報
【発明の概要】
【発明が解決しようとする課題】
【０００４】
しかしながら、照明器具の清掃やその他の目的でセードを外す場合がある。セードを外した状態で光源部が露出すると、使用者が不用意に基板やＬＥＤに接触したり、静電気や湿気によりＬＥＤの性能が低下する場合がある。また、セードを取り付けた状態であっても、セード内に侵入した昆虫等が光源部に入り込む場合もある。
【０００５】
本発明は、上記の問題を解決すべくなされたものである。本発明の第１の目的は、セードを外した状態でも光源部が露出せず、使用者が不用意に基板やＬＥＤに接触したり、静電気や湿気によりＬＥＤの性能が低下することを防止できる照明器具を提供することである。本発明の第２の目的は、セード内に侵入した昆虫等が光源部に入り込むことを防止できる照明器具を提供することである。
【課題を解決するための手段】
【０００６】
本発明の解決しようとする課題は以上の如くであり、次にこの課題を解決するための手段を説明する。
【０００７】
即ち、本願に開示する照明器具は、ＬＥＤを光源とする照明器具であって、
器具本体と、
複数のＬＥＤを有し、器具本体に配置される光源部と、
器具本体に装着されるセードと、
器具本体とセードとの間において、光源部を覆うように配置される、透光性の保護部材  と、
を備える。
【０００８】
照明器具の器具本体は、アダプタを取り付けるための取付穴を備え、
保護部材は、取付穴に対応する位置に形成される開口部と、開口部の周囲に形成され、器具本体に当接する第１当接部と、外周側に形成され、器具本体に当接する第２当接部と、を備える。
【０００９】
照明器具は、保護部材と器具本体とを固定するための固定部が外周側に配置され、
保護部材は、開口部から外周側に向けて形成される平坦部と、平坦部から外周側の第２当接部に向けて湾曲して形成される曲面部と、を備え、
保護部材は、器具本体に固定された状態において、第１当接部が器具本体に対して付勢された状態で当接している。
【００１０】
照明器具の保護部材は、光拡散処理が施されている。
【発明の効果】
【００１１】
本願に開示する照明器具によれば、セードを外した状態でも光源部が露出せず、使用者が不用意に基板やＬＥＤに接触したり、静電気や湿気によりＬＥＤの性能が低下することを防止できる。また、セード内に侵入した昆虫等が光源部に入り込むことを防止できる。
【図面の簡単な説明】
【００１２】
【図１】本発明の実施形態に係る照明器具１１の側面図。
【図２】照明器具１１を径方向に切断した断面の一部を示す図。
【図３】保護部材６１を取り付けた状態の器具本体２１を下面側から見た図。
【図４】保護部材６１を下面側から見た図。
【図５】図４における（Ａ）Ａ―Ａ線における断面図（Ｂ）Ｂ―Ｂ線における断面図。
【発明を実施するための形態】
【００１３】
本発明の実施形態に係る照明器具１１について、図１から図５を用いて説明する。本実施形態に係る照明器具１１は、ＬＥＤ４２を光源とする照明器具である。図１に示すように、照明器具１１は、天井に直付けされるシーリングライトである。以下では、光を照射する側を照明器具１１の下面側とし、上面側は下面側の反対側（取付状態では天井側）として説明する。
【００１４】
図１、２に示すように、照明器具１１は、主に器具本体２１、電源装置３１、光源部４１、セード５１、及び保護部材６１を有している。
【００１５】
図２、図３に示すように、器具本体２１は、照明器具１１の本体を構成するものである。本実施形態に係る照明器具１１は平面形状が円形であり、器具本体２１の平面視での外形輪郭形状も円形である。器具本体２１は、光源取付部２２、収容部２３、取付穴２４、第１保護部材当接面２６、及び第２保護部材当接面２７を有している。収容部２３、及び取付穴２４は、器具本体２１の半径方向中央部側に設けられ、光源取付部２２は、収容部２３の半径方向外周側に設けられている。器具本体２１は、熱伝導性を有するアルミニウム等の金属板を用いて形成されている。
【００１６】
光源取付部２２は、光源部４１が取り付けられる部分である。光源取付部２２は、器具本体２１の周方向に沿って、一定の幅の領域に設けられている。器具本体２１の中央部には収容部２３が形成されており、光源取付部２２は、収容部２３を取り囲むように半径方向外側の領域に設けられている。また、光源取付部２２は器具本体２１の外周縁部より半径方向やや内側の領域に形成されている。
【００１７】
収容部２３は、光源部４１のＬＥＤ４２を点灯させるための電源装置３１や点灯装置（図示せず）等が収容される部分である。収容部２３は、光源取付部２２の半径方向中央部に設けられている。収容部２３は、内部に電源装置３１や点灯装置等を収容するための高さ及び幅が確保されている。収容部２３は光源部４１が取り付けられる光源取付部２２に隣接しており、収容部２３が光源部４１からの光を遮るとセード５１に収容部２３の影が映ることとなる。このため、収容部２３の外側は、傾斜面に形成され、光源部４１からの光を遮りにくくしている。図３に示すように、収容部２３の下面側には、常夜灯２８が設けられている。
【００１８】
取付穴２４は、照明器具１１を天井に取り付ける際、アダプタ（図示せず）を取り付ける部分である。取付穴２４は、器具本体２１の半径方向中心となる位置に設けられている。取付穴２４は、収容部２３の下面側から器具本体２１の上面側まで貫通して設けられている。照明器具１１を天井に取り付ける場合は、照明器具用の天井配線器具（引っ掛けシーリング）にアダプタを取付け、取付穴２４にアダプタを差し込むようにして取り付ける。
【００１９】
電源装置３１は、点灯装置（図示せず）等とともに光源部４１のＬＥＤ４２を点灯させるための装置である。電源装置３１及び点灯装置等は、収容部２３に収容されている。電源装置３１にはコネクタ３２が設けられている。照明器具１１を天井に取り付ける際、コネクタ３２をアダプタ側のコネクタ（図示せず）と接続することで、照明器具用の天井配線器具を介して外部電源と電気的に接続される。点灯装置と光源部４１は電線（図示せず）によって電気的に接続されている。
【００２０】
光源部４１は、複数のＬＥＤ光源モジュール４４を有しており、各ＬＥＤ光源モジュール４４は、基板４３上に複数のＬＥＤ４２が実装されて構成されている。図２、図３に示すように、本実施形態では、光源部４１は、４枚のＬＥＤ光源モジュール４４で構成されている。各ＬＥＤ光源モジュール４４は、収容部２３を取り囲むように光源取付部２２に取り付けられている。各ＬＥＤ光源モジュール４４は、それぞれボルト７１Ａ、７１Ｂで光源取付部２２に取り付けられている。半径方向外側に配置されるボルト７１Ａの一部は、後述の保護部材６１の固定も兼ねており、ＬＥＤ光源モジュール４４と保護部材６１とがボルト７１Ａによって光源取付部２２に共締めされる。
【００２１】
第１保護部材当接面２６、及び第２保護部材当接面２７は、後述する保護部材６１が当接する部分である。第１保護部材当接面２６は、収容部２３の下面側であって、取付穴２４の外周側に設けられる。第２保護部材当接面２７は、光源取付部２２の半径方向外周側に設けられる。第１保護部材当接面２６、及び第２保護部材当接面２７は、保護部材６１と密着するよう、例えば平坦に形成されている。
【００２２】
セード５１は、器具本体２１の下面側を覆うように取り付けられ、光源部４１からの光を反射及び拡散させつつ、外部へ配光する部材である。セード５１は、透光性を有する樹脂素材で形成されている。セード５１の全体形状は、平面形状が円形であり、下面側に緩やかにドーム状に膨らんでいる。セード５１は、セード５１の内部の清掃や器具本体２１の部品交換等のために器具本体２１に対して着脱できる構造となっている。図２、図３に示すように、セード５１の上面側の開口縁部には、器具本体２１に取り付けるための第１被保持部５２が形成されている。
【００２３】
器具本体２１には、セード５１の第１被保持部５２を保持する、第１保持部２５が設けられている。詳細は省略するが、セード５１を器具本体２１の取り付け位置に配置して第１の方向に回動させると、セード５１の第１被保持部５２が器具本体３１の第１保持部２５に保持されてセード５１が器具本体２１に取り付けられる。また、セード５１が器具本体３１に取り付けられた状態でセード５１を第２の方向に回動させると、器具本体３１の第１被保持部５２がセード５１の第１保持部２５から外れて、セード５１が器具本体２１から取り外される。
【００２４】
保護部材６１は、器具本体２１とセード５１との間において、光源部４１を覆うように配置され、器具本体２１との間に密閉空間を形成する部材である。保護部材６１は、透光性を有する例えば樹脂素材で形成されている。保護部材６１は、光拡散処理が施されている。具体的には、保護部材６１の例えば内側の表面に微細な凹凸（シボ）を形成している。
【００２５】
図４、図５に示すように、保護部材６１は、開口部６２、平坦部６５及び曲面部６６を備えている。開口部６２は、収容部２３の取付穴２４に対応する位置に形成されている。開口部６２には、常夜灯２８に干渉しないように切欠部６７が形成されている。切欠部６７は、保護部材６１を器具本体２１に取り付ける際の位置決め機能も有する。開口部６２及び切欠部６７の縁部には、保護部材６１を器具本体２１に取り付けた状態で、器具本体２１の第１保護部材当接面２６に当接する第１当接部６３が形成されている。
【００２６】
平坦部６５は、開口部６２から外周側に向けて形成される部分である。曲面部６６は、平坦部６５から外周側に向けて湾曲して形成される部分である。曲面部６６の外周側の縁部には、保護部材６１を器具本体２１に取り付けた状態で、器具本体２１の第２保護部材当接面２７に当接する第２当接部６４が形成されている。
【００２７】
保護部材６１の外周側には、保護部材６１と器具本体２１とを固定するための固定部６８が設けられている。固定部６８は、保護部材６１を器具本体２１に取り付けた状態で、器具本体２１と略平行となる平面状の部分である。固定部６８には、ボルト７１Ａを通すための孔６９が形成されている。保護部材６１と器具本体２１との固定には、上述のＬＥＤ光源モジュール４４を光源取付部２２に固定するためのボルト７１Ａが兼用して用いられる。固定部６８付近では、曲面部６６の形状は、固定部６８に滑らかに連続するように谷状に形成されている。
【００２８】
図２に示すように、保護部材６１は、器具本体２１に取り付けると、器具本体２１の収容部２３に第１当接部６３が押し付けられ、付勢された状態で当接するように形成されている。具体的には、図２に示すように、保護部材６１が器具本体２１に当接する部分である、器具本体２１の第１保護部材当接面２６と第２保護部材当接面２７の高さの差をＬ１とし、図５Ａに示すように、保護部材６１の第１当接部６３と第２当接部６４の高さの差をＬ２とすると、Ｌ２をＬ１よりやや短く設定している。このため、保護部材６１は、ボルト７１Ａで器具本体２１に取り付けると、図２に示すように、主として平坦部６５と曲面部６６が弾性変形し、平坦部６５と曲面部６６が元の形状に戻ろうとする力により器具本体２１の収容部２３に第１当接部６３が押し付けられる。
【００２９】
以上説明した本実施形態に係る照明器具１１によれば、次のような効果を有する。
【００３０】
照明器具１１は、器具本体２１とセード５１との間において、光源部４１を覆うように配置され、器具本体２１との間に空間を形成する透光性の保護部材６１を備える。このため、セード５１を外した状態でも光源部４１が露出せず、使用者が不用意に基板４３やＬＥＤ４２に接触し、静電気や湿気によりＬＥＤ４２の性能が低下することを防止できる。また、セード５１内に侵入した昆虫等が光源部４１に入り込むことを防止できる。
【００３１】
照明器具１１の保護部材６１は、取付穴２４に対応する位置に形成される開口部６２と、開口部６２の周囲に形成され、器具本体２１に当接する第１当接部６３と、外周側に形成され、器具本体２１に当接する第２当接部６４と、を備える。このため、器具本体２１に第１当接部６３と第２当接部６４とが当接することで昆虫等が入り込みにくい空間が形成される。
【００３２】
照明器具１１は、保護部材６１と器具本体２１とを固定するための固定部６８を備え、固定部６８は、保護部材６１の外周側に配置される。外周側の固定部６８によって保護部材６１の取り付け、取り外しができるため、保護部材６１の取り付け、取り外しが容易である。
【００３３】
照明器具１１は、固定部６８において、保護部材６１と器具本体２１とを固定するとともに、光源部４１を器具本体２１に固定する。固定部６８において保護部材６１と光源部４１が器具本体２１に取り付けられているため、保護部材６１と光源部４１の取り付けが容易である。
【００３４】
照明器具１１の保護部材６１は、平坦部６５と、曲面部６６と、を備え、保護部材６１は、器具本体２１に配置された状態において、第１当接部６３が収容部２３に対して付勢された状態、すなわち、平坦部６５と曲面部６６が元の形状に戻ろうとする力により器具本体２１の収容部２３に第１当接部６３が押し付けられる状態で当接している。曲面部６６は湾曲して形成されているため、光源部４１からの光を遮りにくくセード５１に影が出にくい。また、曲面部６６は弾性変形しにくいが、平坦部６５は弾性変形しやすいため、第１当接部６３を収容部２３に対して付勢された状態で当接させることができる。
【００３５】
照明器具１１の保護部材６１は、光拡散処理が施されている。このため、光源部４１からの光を拡散させることで、色むらがでにくくなる。
【００３６】
以上、本発明の実施形態について説明したが、本発明は上記実施例に限定されるものではなく、様々な変更が可能である。例えば、照明器具１１は丸型としたが、角型やその他の形状としてもよい。また、シーリングライトの他、ペンダントライト等に適用してもよい。
【００３７】
本実施形態の保護部材６１の形状は一例であり、本実施形態の形状に限定されるものではない。例えば、照明器具１１の形状が丸型以外の角型やその他の形状である場合には、それに応じた形状とすることができる。また、光源部４１の形状に応じて適宜変形させることも可能である。
【符号の説明】
【００３８】
１１    照明器具
２１    器具本体
２３    収容部
２４    取付穴
３１    電源装置
４１    光源部
４２    ＬＥＤ
４３    基板
４４    ＬＥＤ光源モジュール
５１    セード
６１    保護部材
６２    開口部
６３    第１当接部
６４    第２当接部
６５    平坦部
６６    曲面部
６７    切欠部
６８    固定部
６９    孔
【図１】
2014035879.tif 000003
【図２】
2014035879.tif 000004
【図３】
2014035879.tif 000005
【図４】
2014035879.tif 000006
【図５】
2014035879.tif 000007